(57)【要約】【課題】撮影用受像ユニットの位置確認についての操作者の負担を軽減することを可能とする臥位撮影台の提供。【解決手段】臥位撮影台は、被検者を臥位状態で載せる天板１を備えるとともに、天板の下面に沿って撮影用受像ユニット設置部２を備え、その撮影用受像ユニット設置部に、被検者の体軸方向に移動可能に撮影用受像ユニットを設置できるようにされている。そしてその撮影用受像ユニットに取っ手１６が位置明示手段として設けられており、この位置明示手段により、操作者が立位状態で撮影用受像ユニットの位置を目視して確認できるようにされている。【選択図】図１
2006230902.tif 000002
【特許請求の範囲】
【請求項１】
被検者を載せる天板を備えるとともに、前記天板の下面に沿って前記天板上の被検者の体軸方向に移動可能に設けられる撮影用受像ユニットを備えた臥位撮影台において、
前記撮影用受像ユニットは前記被検者の体軸方向での位置を目視可能とする位置明示手段を設けたことを特徴とする臥位撮影台。
【請求項２】
前記位置明示手段は、前記撮影用受像ユニットの側辺に取り付けられた取っ手で構成されている請求項１に記載の臥位撮影台。
【請求項３】
前記位置明示手段に前記撮影用受像ユニットにおける有効視野の中心を示す中心マークが付されている請求項１または請求項２に記載の臥位撮影台。
【発明の詳細な説明】
【技術分野】
【０００１】
本発明は、被検者を臥位状態にして撮影を行うＸ線撮影装置などで用いられる臥位撮影台に関する。
【背景技術】
【０００２】
臥位撮影台は、被検者を臥位状態で載せる天板を備え、その天板の下側にディテクタやＸ線フィルムカセッテなどで構成される撮影用受像ユニットを設置できるようにされている。そしてその撮影用受像ユニットは、天板の下面に沿って天板上の被検者の体軸方向に自動または手動で移動して位置を変えることができるようにされ、その移動による位置決めで被検者に対する撮影部位の設定をなせるようにされている。なお被検者を臥位状態にしてＸ線撮影を行う装置については例えば特許文献１に開示の例が知られている。
【０００３】
【特許文献１】特開２００３−７９６０７号公報
【発明の開示】
【発明が解決しようとする課題】
【０００４】
上記のような臥位撮影台には、撮影操作を行う操作者にとって撮影用受像ユニットの位置を確認しづらいという問題があった。すなわち撮影用受像ユニットは天板の下側におけるその設置部位の周囲を安全カバーで囲われている。そのため操作者が立位状態のままで撮影用受像ユニットを視認するのが容易でなく、撮影用受像ユニットの位置を確認するには操作者は屈むなどして安全カバーに設けられている開口部から撮影用受像ユニットを覗き見るといった動作を強いられることになっていた。このような動作を強いられることは、多数の被検者について撮影操作を繰り返す必要のある操作者にとって大きな負担となるもので、その改善が望まれていた。
【０００５】
本発明は、以上のような事情を背景になされてものであり、撮影用受像ユニットの位置確認についての操作者の負担を軽減することを可能とする臥位撮影台の提供を目的としている。
【課題を解決するための手段】
【０００６】
上記目的のために本発明では、被検者を載せる天板を備えるとともに、前記天板の下面に沿って前記天板上の被検者の体軸方向に移動可能に設けられる撮影用受像ユニットを備えた臥位撮影台において、
前記撮影用受像ユニットは前記被検者の体軸方向での位置を目視可能とする位置明示手段を設けたことを特徴としている。
【０００７】
また本発明では、上記のような臥位撮影台について、前記位置明示手段は、前記撮影用受像ユニットの側辺に取り付けられた取っ手で構成するようにしている。
【０００８】
また本発明では、上記のような臥位撮影台について、前記位置明示手段に前記撮影用受像ユニットにおける有効視野の中心を示す中心マークを付すようにしている。
【発明の効果】
【０００９】
本発明では、操作者が立位状態で撮影用受像ユニットの位置を目視可能とする位置明示手段を撮影用受像ユニットに設けるようにしている。このため本発明によれば、操作者が臥位撮影台の前面に立ったままの状態で撮影用受像ユニットの位置を容易に目視で確認きるようになり、撮影用受像ユニットの位置確認についての操作者の負担を軽減することが可能となる。
【発明を実施するための最良の形態】
【００１０】
以下、本発明の実施の形態について説明する。図１〜図３に一実施形態による臥位撮影台の構成を示す。本実施形態の臥位撮影台は、天板１、撮影用受像ユニット設置部２、撮影用受像ユニット３（図２、図３）、天板動作機構部４、および操作用フットスイッチ部５を主な要素として備えている。このような臥位撮影台による撮影は、天板１に載せられている被検者（図示を省略）に向けてＸ線照射装置（図示を省略）により天板１の上方からＸ線を照射し、そのＸ線が被検者を透過して得られるＸ線像を撮影用受像ユニット３で受像するようにして行われる。
【００１１】
天板１は、例えばＸ線などの撮影用の放射線を透過させることのできる材料を用いて平板状に形成されており、被検者を臥位状態で載せることができるようにされている。また天板１は、そこに載せられる被検者の体軸方向（図２中の矢印Ａ方向）に移動できるようにされている。
【００１２】
撮影用受像ユニット設置部２は、天板１の下面に沿って設けられており、撮影用受像ユニット３を天板１上の被検者の体軸方向に移動可能に設置できるようにされている。ここで、撮影用受像ユニット設置部２における撮影用受像ユニット３の移動については、操作者が手動で移動させる手動式と電動機構などで自動的に移動させる自動式が可能であるが、本実施形態では電動機構による自動式としてあり、撮影用受像ユニット設置部２に設けてある移動操作スイッチ１１（図２）により撮影用受像ユニット３の移動を行わせることができるようにしてある。
【００１３】
この撮影用受像ユニット設置部２は、その周囲を固定カバー１２と開閉カバー１３からなる安全カバーで覆われている。開閉カバー１３は、臥位撮影台の前面つまり臥位撮影台での撮影の操作を行う操作者（図示を省略）が位置する側に設けられており、操作者が手前に引き倒すことで開状態にできるようにされ、その開状態で撮影用受像ユニット３の設置や取り出しを行えるようにされている。このように、固定カバー１２と開閉カバー１３で撮影用受像ユニット設置部２の全周を覆うようにしたことにより、安全性をより高めることができる。すなわち従来の臥位撮影台では、安全カバーに開口部が設けられ、その開口部を介して撮影用受像ユニットの設置や取り出しを行うようにされており、撮影操作時にもその開口部において撮影用受像ユニットが露呈する状態になっていた。このような従来の臥位撮影台に対し、本実施形態のように開閉カバー１３を設けて撮影用受像ユニット設置部２の全周を安全カバーで覆うことができるようにすることにより、撮影操作時に撮影用受像ユニット３が露呈するようなことがなくなり、安全性をより高めることができる。
【００１４】
撮影用受像ユニット３は、図３に示すように、全体として平たいボックス状に形成され、その内部に例えばＸ線フィルムやＦＰＤ（フラットパネルディテクタ）などのＸ線受像手段が収められている。そしてそのＸ線受像手段には、有効視野中心１４を有する有効視野１５がある。この撮影用受像ユニット３には、その側辺に取っ手１６が取り付けられている。取っ手１６は、位置明示手段機能と操作性向上機能を兼ね備えている。位置明示手段機能は、操作者が操作のために臥位撮影台の前面に立ったままの状態で撮影用受像ユニット３の位置（被検者の体軸方向についての位置）を容易に目視で確認できるようにするための明示手段としての機能である。一方、操作性向上機能は、撮影用受像ユニット３を撮影用受像ユニット設置部２に設置したり撮影用受像ユニット設置部２から引き出したりする際の操作を行いやすくする機能である。これらの機能のために取っ手１６は、適切な突出量を与えられることで、撮影用受像ユニット３を撮影用受像ユニット設置部２に設置した際に天板１の側辺からわずかに突出する状態になるようにされている。また取っ手１６には、例えば細い溝を切るなどして有効視野中心マーク１７が付されている。この有効視野中心マーク１７は、有効視野中心１４に一致するように設けられており、有効視野中心明示機能を有している。すなわち操作者が取っ手１６を目視する際に同時に有効視野中心マーク１７も目視することができ、これにより撮影用受像ユニット３の位置確認とともに有効視野中心１４の位置も確認できるようになっている。なお図２中には、撮影用受像ユニット３の移動による取っ手１６の移動範囲における最左側位置１６Ｌと最右側位置１６Ｒを示してある。
【００１５】
以上のように、撮影用受像ユニット３に取っ手１６を設け、この取っ手１６に位置明示手段としての機能を与えるようにしたため、操作者は臥位撮影台の前面に立ったままの状態で撮影用受像ユニット３の位置を容易に目視で確認できるようになる。この結果、撮影用受像ユニット３の位置確認についての操作者の負担を軽減することが可能となる。またこうした位置明示手段として機能する取っ手１６に有効視野中心マーク１７も付すようにしたことにより、撮影用受像ユニット３の位置確認と同時に有効視野中心１４の位置も容易に確認することができるようになり、使い勝手を高めることができる。さらに取っ手１６のもう一つの機能である操作性向上機能により撮影用受像ユニット３の取扱い性を高めることができる。このことは、例えば被検者の手を撮影するために、撮影用受像ユニット３を撮影用受像ユニット設置部２から取り出し、それを天板１に載せて撮影を行う場合があるが、このような場合に有効であり、また撮影用受像ユニット３の移動を手動で行わせる場合にも有効である。
【００１６】
ここで、取っ手１６には、有効視野１５の範囲を明示する機能を与えることも可能である。すなわち図３の例では取っ手１６の幅サイズを位置明示手段機能と操作性向上機能に必要な範囲のものとしてあるが、これに代えて、幅サイズを有効視野１５の幅サイズと同じにした取っ手を設け、その取っ手の目視で有効視野１５の範囲を確認できるようにする形態である。また、取っ手１６、特にその有効視野中心マーク１７の部位を、例えばＬＥＤなどの発光体で発光させるようにする形態とすることも可能であり、そのようにすることにより、目視性をさらに高めることができる。
【００１７】
天板動作機構部４は、天板１を昇降動させたり被検者の体軸方向で進退動（左右動）させたりする機能を負っており、伸縮自在なベローズ型カバー１８で周囲を覆われたその内部に周知の昇降動機構や進退動機構を設けて形成されている。
【００１８】
操作用フットスイッチ部５は、天板１の昇降動や進退動を操作するための部位であり、図の例では上昇、下降、左方移動、右方移動それぞれの操作用として４つのフットスイッチ１９ａ、１９ｂ、１９ｃ、１９ｄが設けられている。
【産業上の利用可能性】
【００１９】
本発明は、臥位撮影台について撮影用受像ユニットの位置確認における操作者の負担を軽減することを可能とするものであり、臥位撮影台を使用する分野で広く利用することができる。
【図面の簡単な説明】
【００２０】
【図１】一実施形態による臥位撮影台の斜視図である。
【図２】図１中の矢印Ｂ方向から見た臥位撮影台の側面図である。
【図３】撮影用受像ユニットの斜視図である。
【符号の説明】
【００２１】
１    天板
３    撮影用受像ユニット
１６    取っ手（位置明示手段）
１７    有効視野中心マーク
【図１】
2006230902.tif 000003
【図２】
2006230902.tif 000004
【図３】
2006230902.tif 000005